(57)【特許請求の範囲】
【請求項１】
端子付きケーブルを接続するための端子台であって、
第１の押付面と、前記第１の押付面の延伸する方向に交差する方向に延伸する第２の押付面とを有する板バネと、
端子押付金具が設けられるともに、前記板バネに当接する凸部を有するレバーと、
前記端子と電気的に接続される導電板と、
前記板バネ、前記レバー、及び前記導電板を収納するベースと、を備え、
前記レバーは、前記ベースに設けられた軸受に挿入する軸部を有し、回転可能に前記ベースに装着されており、
前記レバーが第１の方向に回転したとき、前記端子と前記導電板とが解放状態となり、
前記レバーが第１の方向と反対の第２の方向に回転したとき、前記レバーの前記端子押付金具が前記端子を押圧することにより前記端子と前記導電板とが接続状態となり、
前記板バネは、前記レバーの前記凸部が前記板バネの前記第１の押付面に当接したときに前記レバーを前記第１の方向に付勢しており、前記レバーの前記凸部が前記第２の押付面に当接したときに前記レバーを前記第２の方向に付勢することを特徴とする端子台。
【請求項２】
前記端子押付金具は、前記端子押付金具の前方及び後方に配置された第１の凸部と第２の凸部とを有し、
前記レバーが前記第２の方向に回転して、前記端子押付金具の前記第１の凸部が前記端子に当接するまでは、前記レバーの前記軸部を支点として回転し、
前記第１の凸部が前記端子に当接した後は、前記レバーの回転支点が、前記レバーの前記軸部から、前記第１の凸部に切り替わり、前記第１の凸部及び前記第２の凸部が前記端子に当接することを特徴とする請求項１に記載の端子台。
【請求項３】
前記ベースに設けられた前記軸受は、長軸が上下方向に延伸する楕円の形状、または、レバーの軸部の直径よりも大きい直径を有する略円形の形状を有することを特徴とする請求項１又は請求項２に記載の端子台。
【請求項４】
前記端子押付金具は、前記端子押付金具の前方及び後方に配置された第１の凸部、第２の凸部、及び前記第１の凸部と前記第２の凸部との間に設けられた第３の凸部を有し、
前記端子が前記導電板に接続された前記接続状態において、前記端子押付金具の前記第３の凸部が、前記端子の孔部に挿入されるように構成されたことを特徴とする請求項１〜請求項３のいずれか１項に記載の端子台。
【請求項５】
前記端子押付金具は、さらに第４の凸部を有し、
前記端子を挿入したときに、前記端子が前記端子押付金具の前記第４の凸部に当接することにより、前記レバーが前記第２方向に回転し、前記レバーの前記凸部の前記板バネの前記第１の押付面への当接が解除され、前記レバーの前記凸部が前記板バネの前記第２の押付面に当接するとともに前記接続状態に切り替わることを特徴とする請求項１〜請求項４のいずれか１項に記載の端子台。
【発明の詳細な説明】
【技術分野】
【０００１】
本発明は、端子台に関する。
【背景技術】
【０００２】
端子をワンタッチで接続できる端子台が、特許文献1に開示されている。特許文献1に記載の端子台は、電線の先端に接続された端子と電気的に接続する導電板と、端子を導電板に押し付ける板バネと、板バネを保持するためのレバーとを備えている。
【０００３】
特許文献1の端子台では、作業者がレバーを初期状態から待機状態まで回転させることで、板バネを持ち上げ、板バネの先端と導電板との間に端子を挿入するための空間が設けられる。板バネが保持された状態で、作業者が端子を挿入すると、端子の先端がレバーに当接することで、レバーが回転し、板バネから外れる。その結果、板バネの先端が端子を押し付け、端子が導電板に接触するように設計されている。
【先行技術文献】
【特許文献】
【０００４】
【特許文献１】特許第6293715号
【発明の概要】
【発明が解決しようとする課題】
【０００５】
特許文献1の端子台では、金属からなる板バネで端子を直接に導電板に押し付けることで、端子を導電板に電気的に接続するように構成されている。また、導電板に、板バネとレバーを組み込んでサブアセンブリする構造となっている。この導電板は、端子との電気的な接続の機能以外に、板バネとレバーを保持する機能を付加したことで、複雑な形状を有し、加工が比較的に困難である。また、導電板に板バネとレバーを組み込む際には、導電板の曲げ加工が必要であり、またこの加工のために専用の工具を必要としていた。このように、導電板に、板バネとレバーを組み込むサブアセンブリ工程が複雑で、また端子台全体の組み立てにおいても相当の時間を要するといった課題があった。
【課題を解決するための手段】
【０００６】
本発明に係る端子台は、端子付きケーブルを接続するための端子台であって、第１の押付面と、前記第１の押付面の延伸する方向に交差する方向に延伸する第２の押付面とを有する板バネと、端子押付金具が設けられるともに、前記板バネに当接する凸部を有するレバーと、前記端子と電気的に接続される導電板と、前記板バネ、前記レバー、及び前記導電板を収納するベースとを備える。前記レバーは、前記ベースに設けられた軸受に挿入する軸部を有し、回転可能に前記ベース部に装着されており、前記レバーが第１の方向に回転したとき、前記端子と前記導電板とが解放状態となり、前記レバーが第１の方向と反対の第２の方向に回転したとき、前記レバーの前記端子押付金具が前記端子を押圧することにより前記端子と前記導電板とが接続状態となり、前記板バネは、前記レバーの前記凸部が前記板バネの前記第１の押付面に当接したときに前記レバーを前記第１の方向に付勢しており、前記レバーの前記凸部が前記第２の押付面に当接したときに前記レバーを前記第２の方向に付勢することを特徴とする。
【０００７】
本発明に係る端子台では、板バネ、レバー、及び導電板がベースに収納され、レバーは、その軸部がベースの軸受けに挿入されて回転可能に形成されている。また、板バネは、第１の押付面の延伸する方向に交差する方向に延伸する第２の押付面を有し、レバーの凸部が板バネの第１の押付面に当接したときにレバーを第１の方向に付勢しており、凸部が第２の押付面に当接したときにレバーを第２の方向に付勢するように構成されている。このように、レバーの位置に応じて、レバーの凸部が、第１の押付面又は第２の押付面に当接し、レバーに加わる弾性力の方向が切り替わるように構成されている。これにより、レバーを所定の位置で保持することができる。また、レバーが第１の方向に回転したとき、端子と導電板とが解放状態となり、レバーが第１の方向と反対の第２の方向に回転したとき、レバーの端子押付金具が端子を押圧することにより端子と導電板とが接続状態となるように構成されている。この端子と導電板とが電気的に接続する際に、板バネの弾性力を利用して、レバーに設けられた端子押付金具が端子に押し付けられる。この構成により、端子と導電板とが、確実に安定して電気的に接続され、また、端子が端子台から抜けることも防止することができる。
【０００８】
また、本発明に係る端子台では、前記端子押付金具は、前記端子押付金具の前方及び後方に配置された第１の凸部と第２の凸部とを有し、前記レバーが前記第２の方向に回転して、前記端子押付金具の前記第１の凸部が前記端子に当接するまでは、前記レバーの前記軸部を支点として回転し、前記第１の凸部が前記端子に当接した後は、前記レバーの回転支点が、前記レバーの前記軸部から、前記第１の凸部に切り替わり、前記第１の凸部及び前記第２の凸部が前記端子に当接することを特徴としてもよい。
【０００９】
本発明に係る端子台では、レバーの回転支点が、レバーの軸部から、端子押付金具の第１の凸部に切り替わるように構成されている。これにより、端子押付金具の前方及び後方に配置された第１の凸部と第２の凸部とが端子に当接することができる。つまり、端子と導電板とが電気的に接続された接続状態では、端子押付金具の第１の凸部と、第２の凸部の２ヶ所で端子を押さえることができる。これにより、端子の前後方向でのガタツキが低減され、端子を確実に、安定して導電板に安定して、確実に接続固定することができる。
【００１０】
また、本発明に係る端子台では、前記ベースに設けられた前記軸受けは、長軸が上下方向に延伸する楕円の形状、または、レバーの軸部の直径よりも大きい直径を有する略円形の形状を有することを特徴としてもよい。
【００１１】
本発明に係る端子台では、ベースに設けられた軸受けの形状として、長軸が上下方向に延伸する楕円の形状、または、レバーの軸部の直径よりも大きい直径を有する略円形の形状を用いることができる。これにより、レバーの回転支点をスムーズに切り替えることができる。
【００１２】
また、本発明に係る端子台では、前記端子押付金具は、前記第１の凸部と前記第２の凸部との間に設けられた第３の凸部を有し、前記端子が前記導電板に接続された前記接続状態において、前記端子押付金具の前記第３の凸部が、前記端子の孔部に挿入されるように構成されたことを特徴としてもよい。
【００１３】
本発明に係る端子台では、端子が導電板に接続された状態において、端子が抜け出ることが防止できる。
【００１４】
また、本発明に係る端子台では、前記端子押付金具は、さらに第４の凸部を有し、前記端子を挿入したたきに、前記端子が前記端子押付金具の前記第４の凸部に当接することにより、前記レバーが前記第２方向に回転し、前記レバーの前記凸部の前記板バネの前記第１の押付面への当接が解除され、前記レバーの前記凸部が前記板バネの前記第２の押付面に当接するとともに前記接続状態に切り替わることを特徴としてもよい。
【００１５】
本発明に係る端子台では、端子を端子台に挿入することにより、レバーが回転し、端子を挿入するだけで、自動結線ができる。
【００１６】
本発明の上記の目的および他の目的、特徴、並びに利点は、添付図面を参照して進められる本発明の好適な実施の形態の以下の詳細な記述から、より容易に明らかになる。
【発明の効果】
【００１７】
本発明により、端子と導電板の圧着が安定し、また簡単な形状の構成部材となり、かつ組立専用の工具が不要になり組立ても容易になる。従って、トータルコストの大幅な削減が期待できる。
【図面の簡単な説明】
【００１８】
【図１】図１は、本実施形態に係る端子台の正面を概略的に示す斜視図である。
【図２】図２は、本実施形態に係る端子台の分解図を概略的に示す図である。
【図３】図３は、本実施形態に係る端子台の背面を概略的に示す斜視図である。
【図４】図４は、本実施形態に係る端子台の動作を説明するための図であり、初期状態を表している。図４（ａ）は、端子台の上面図である。図４（ｂ）は、側面図を示している。
【図５】図５は、図４（ａ）のＶ−Ｖ線にそって切った断面を示している。
【図６】図６は、図４（ａ）のＶＩ−ＶＩ線にそって切った断面を示している。
【図７】図７は、本実施形態に係る端子台の動作を説明するための図であり、結線前状態を表している。図７（ａ）は、端子台の上面図である。図７（ｂ）は、側面図を示している。
【図８】図８は、図７（ａ）のＶＩＩＩ―ＶＩＩＩ線にそって切った断面を示している。
【図９】図９は、図７（ａ）のＩＶ―ＩＶ線にそって切った断面を示している。
【図１０】図１０は、本実施形態に係る端子台の動作を説明するため図であり、支点移動位置を表している。図１０（ａ）は、端子台の上面図である。図１０（ｂ）は、側面図を示している。
【図１１】図１１は、図１０（ａ）のＸＩ―ＸＩ線にそって切った断面を示している。
【図１２】図１２は、図１１のＡ部を拡大した拡大図を示す図である。
【図１３】図１３は、図１０（ａ）のＸＩＩＩ―ＸＩＩＩ線にそって切った断面を示している。
【図１４】図１４は、本実施形態に係る端子台の動作を説明するため図であり、結線状態を表している。図１４（ａ）は、端子台の上面図である。図14（ｂ）は、側面図を示している。
【図１５】図１５は、図１４（ａ）のＸＶ-ＸＶ線にそって切った断面を示している。
【図１６】図１６は、図１５（ｂ）のＢ部を拡大した拡大図を示す図である。
【図１７】図１７は、図１４（ａ）のＸＶＩＩ-ＸＶＩＩ線にそって切った断面を示している。
【発明を実施するための形態】
【００１９】
以下、図面と共に本発明に係る端子台の好適な実施形態について詳細に説明する。なお、図面の説明においては同一要素には同一符号を付し、重複する説明を省略する。
【００２０】
なお、本明細書において、上下とは端子台形状の上下方向にそれぞれ対応する。前後とは丸形端子が挿入される側が前側に対応し、すなわち端子台の中央が後側に対応する。
【００２１】
図１は、本実施形態に係る端子台を概略的に示す斜視図である。端子台１は、長手方向における中央部を境に略線対称の構成を有しており、端子台１の両側にそれぞれ端子３を接続できる。ただし、以下の説明では端子台１の一方側（図中右側）の構成のみを説明し、他方側の説明は基本的に省略する。
【００２２】
［本実施形態］
図１に示すように、端子台１は、端子台１に挿入される端子（例えば、穴付き丸形端子）３と電気的に接続するための導電板７０と、導電板７０に向かって回転軸（支点）を中心に初期位置と結線前位置との間で回転可能なレバー４０と、レバー４０に回転力を与える板バネ６０を備える。さらに、端子台１は、導電板７０とレバー４０と板バネ６０とを収納するためのベース３０を有している。
【００２３】
図１に示すように、本実施形態では、レバー４０は軸部４４を有し、軸部４４がベース３０に設けられた凹部を有する軸受３１に挿入されることで、回転可能に形成されている。また、板バネ６０は、レバー４０の第１の凸部４１が板バネに当接することで、レバーに回転力を与えることができる。また、レバー４０が回転することで、ケーブルの先端に接続された端子（丸形端子）３と導電板７０とが電気的に接続するように構成されている。この端子３と導電板７０とが電気的に接続する際に、板バネ６０の弾性力を利用して、レバー４０に設けられた端子押付金具５０が端子３に押し付けられる。この構成により、端子３と導電板７０とが、確実に安定して電気的に接続され、また、端子３が端子台１から抜けることも防止することができる。
【００２４】
図２は、本実施形態に係る端子台１の分解図を概略的に示す図である。図２に示すように、端子台１は、導電板７０、レバー４０、板バネ６０、及びこれらの部材を収納するベース３０から構成されている。レバー４０は、丸形端子３を直接押えるための端子押付金具５０を取り付けるための圧入溝４７が設けられ、端子押付金具５０を、この圧入穴４７に例えば圧入して固定することができる。なお、端子押付金具５０はレバー４０の樹脂射出成形時にインサート成形にて固定させることもできる。端子押付金具５０は、端子３を押える端子押付金具５０第１の凸部５１、及び端子押付金具５０の第２の凸部５２を有している。また、端子押付金具５０は、端子３が挿入された時、端子３の先端が当たる端子押付金具５０の第４の凸部５４を有する。また、端子押付金具５０は、端子３の孔部に挿入されて、端子３の抜けを防止するための端子押付金具５０の第３の凸部５３を有することができる。端子押付金具５０の第１の凸部５１、及び端子押付金具５０の第２の凸部５２は、端子３の表面に当接するように形成されており、基準面からの高さは、端子押付金具５０の第３の凸部５３、及び端子押付金具５０の第４の凸部５４の高さよりも小さい高さを有するように形成されている。端子押付金具５０の側面部には、溝４７に圧入固定する際に、端子押付金具５０が圧入溝４７からの抜けを防止するための突起部５５を設けてもよい。端子押付金具５０は、例えば、ステンレス製などの金属板から形成することができる。
【００２５】
導電板７０は、レバー４０を初期状態、又は結線状態の位置に回転させたときに、端子押金具５０の第３の凸部５３、及び端子押付金具５０の第４の凸部５４を受け入れるためのスリット穴７１を有している。ベース３０は、導電板７０を収納するための凹部３５、及び導電板７０を挟持するためのベース３０の第1のリブ３６を有する。導電板７０は、ベース３０の凹部３５に挿入されて固定されることができる。導電板７０は、例えば、銅または銅合金から成り、例えば、金属板を打ち抜いて形成することができる。導電板７０の板厚は、例えば、０．５ｍｍ〜２．０ｍｍとすることができ、本実施形態では、１ｍｍである。
【００２６】
レバー４０は、作業者が指で操作するレバー４０の第３の凸部４５を有しており、組み立てられた状態において、レバー４０の第３の凸部４５は、ベース３０の外部に露出する。また、ベース３０には、レバー４０の回転を制限するためのストッパーリブ３２、及び外周リブ３３が設けられている。一方、レバー４０は、初期状態の位置（以下、「初期位置」と言う。）において、ベース３０のストッパーリブ３２とあたるレバー４０の第２の凸部４２と、結線前状態での位置（以下、「結線前位置」と言う。）においてベース３０の外周リブ３３と当たる側面４３を有する。レバー４０の第２の凸部４２は、レバー４０の両側方に突出して形成されている。また、レバー４０は、ベース３０の軸受３1に挿入される軸部４４を有する。この軸部４４は、レバー４０の両側方に突出して形成されている。レバー４０は、ベース３０の両側面に設けられた軸受３1に挿入されて、軸部４４を中心に、初期位置から結線前位置の範囲で回転可能に形成されている。また、レバー４０は、板バネ６０の第１の押付面６１及び第２の面押付面６２に接するレバー４０の第１の凸部４１を有している。
【００２７】
また、レバー４０は、組み立てられた状態で、レバー４０がどの位置においても、ベース３０の外周リブ３３の内側に、一部が重なりオーバーラップするように形成せれた扇状形状のレバー４０のリブ４６を有する。これにより、板バネ６０が目視出来ないようにすることができると共に、埃及び異物混入を防止することができる。また、レバー４０の下面には、端子押付金具５０を圧入し固定するための圧入溝４７が設けられている。レバー４０は、例えば、樹脂射出成形などの樹脂成形によって形成することができる。
【００２８】
ベース３０は、板バネ６０を挟持するためのベース３０の第２のリブ３７と、板バネ６０を支持するための固定ボス３４とを有している。一方、板バネ６０は、固定面６４と、曲部６３を有し、ベース３０の外周面と固定ボス３４との間に設けられた空隙に固定面６４を挿入し、さらにベース３０の第２のリブ３７によりこの固定面６４を挟持することでベース３０に固定される。さらに、板バネ６０の曲部６３によりベース３０の固定ボス３４を把持する。これにより、板バネ６０を上下、及び前後方向で確実にベース３０に固定することができる。
【００２９】
また、図２に示したように、板バネ６０は、レバー４０の回転状態に対応して、レバー４０の第１の凸部４１に当接する第１の押付面６１、及び第２の押付面６２を有する。また、板バネ６０は、第１の押付面６１、第２の押付面６２と固定面６４との間に位置し、略Ｕ字形状をした変形部６５を有する。レバー４０の回転状態に対応して、板バネ６０は、第１の押付面６１または第２の押付面６２がレバー４０の第１の凸部４１に当接し、押し上げられて、変形部６５が弾性変形し、レバー４０に回転力を付与することができる。板バネ６０は、例えば、ステンレス鋼板を打ち抜き、折り曲げて形成することができる。
【００３０】
図２に示すように、ベース３０は、凹部形状を有し、レバー４０の軸部４４を挿入するための軸受３1を有する。この軸受３1は、レバー４０の回転状態に対応して、軸部４４が上下方向に移動できるように、例えば、長軸が上下方向に延伸する楕円の形状を有することができる。または、レバー４０の軸部４４の直径よりも大きい直径を有する略円形の形状を有することができる。初期状態、及び結線前の状態では、レバー４０の軸部４４が軸受３1の底部で支持されて、この支持部を支点としてレバー４０が回転する。一方、端子３を端子孔から挿入しレバー４０を回転させて、導電板７０と端子３とが結線されて結線状態になったときには、端子押付金具５０の第１の凸部５１、及び端子押付金具５０の第２の凸部５２は、端子３の表面の２箇所に当接するように形成されている。このとき、軸受３１の形状に沿って、レバー４０の軸部４４は、上方に移動し、軸受３1の底部から離間し、浮いた状態になっており、レバー４０は、端子押付金具５０の第１凸部５１、及び端子押付金具５０の第２の凸部５２により支持される。この状態では、端子押付金具５０の第１の凸部５１がレバー４０の回転の支点となることができる。
【００３１】
端子押付金具５０の第１の凸部５１、及び端子押付金具５０の第２の凸部５２は、導電板７０と端子３とが結線状態になったときに、端子３の表面に２箇所で当接するようにするために、端子押付金具５０の第１の凸部５１、及び端子押付金具５０の第２の凸部５２は、基準面からの高さが、ほぼ同じ高さとなるように設定されている。
【００３２】
また、端子３の先端が当たる端子押付金具５０の第４の凸部５４と、端子３の抜けを防止するための端子押付金具５０の第３の凸部５３は、基準面からの高さが、端子押付金具５０の第１の凸部５１、及び端子押付金具５０の第２の凸部５２の基準面の高さより大きくなるように形成されているが、端子押付金具５０の第３の凸部５３と端子押付金具５０の第４の凸部５４は、導電板７０のスリット穴７１に挿入されるように構成されているので、端子押付金具５０の第３の凸部５３と端子押付金具５０の第４の凸部５４が端子３の表面に当接することはない。
【００３３】
また、結線状態において、レバー４０の第１の凸部４１は、板バネ６０で押圧されることで、レバー４０には下向きの応力が作用するので、端子押付金具５０の第１の凸部５１、及び端子押付金具５０の第２の凸部５２の両方が一層当接可能な状態とすることができる。この場合、端子押付金具５０の第１の凸部５１、及び端子押付金具５０の第２の凸部５２は、基準面からの高さが、僅かに異なっている場合でも、端子押付金具５０の第１の凸部５１、及び端子押付金具５０の第２の凸部５２の両方を当接させることができる。
【００３４】
また、ベース３０は、端子が挿入される端子孔３８を有しており、端子孔３８は外部に開口している。また、ベース３０は、対向する２つの外周リブ３３同士の間には、表示用凹部９０が設けられている。この表示用凹部９０はベース３０の中央部の上面に設けられており、端子の極等を表示するために、表示板又は表示シール等が表示用凹部９０内に配置される。
【００３５】
また、ベース３０は、複数の圧入穴９１を有しており、ベース３０の背面（組み立て時に導電板７０が挿入される側とは反対側の面）には複数の嵌合突起９２が設けられている。すなわち、端子台１の背面を示す図３に図示されているように、ベース３０は、圧入穴９１と対応する位置に略円柱状の圧入突起９２を有している。そして、圧入突起９２の外寸は圧入穴９１の内寸よりも大きく、２つのボックス１０は圧入によって互いに連結できる。
なお、複数のボックス１０を連結させる場合、連結構造体の端部には側板（不図示）が連結される。この側板も、複数の圧入突起９２又は複数の圧入穴９１を有しており、圧入によってボックス１０と連結できる。このようなベース３０は、例えば樹脂射出成形によって形成することができる。
【００３６】
次に、概略分解図である図２に戻り、端子台１の組み立て方法について説明する。まず、導電板７０を、ベース３０の凹部３５に挿入し、さらに、ベース３０の第１のリブ３６により導電板７０の表面７２を挟持することでベース３０に固定する。
【００３７】
次に、板バネ６０を、ベース３０の外周面と固定ボス３４との間に設けられた空隙に板バネ６０の固定面６４が入るように挿入し、ベース３０の第２のリブ３７の下面により、固定面６４を挟持することでベース３０に板バネ６０を固定する。さらに、板バネ６０は、固定面６４より内側に折り曲げられた曲部６３を有する。本実施形態では、互いに対向して設けられた４個の曲部６３が形成されている。板バネ６０をベース３０に挿入したときに、曲部６３によりベース３０の固定ボス３４が把持されるように、板バネ６０をベース３０に固定する。これにより、板バネ６０は、上下方向、及び前後方向で確実にベース３０に固定される。
【００３８】
次に、端子押付金具５０をレバー４０の下面の圧入溝４７に圧入し、レバー４０に固定し一体化させる。なお、端子押付金具５０はレバー４０の樹脂射出成形時にインサート成形にて一体化させることもできる。端子押付金具５０と一体化されたレバー４０（以下、レバー４０とは、特に説明がないときは、端子押付金具５０と一体化されたレバー４０をいう。）の軸部４４をベース３０の軸受３1に挿入する。その際、端子押付金具５０の第４の凸部５４と端子押付金具５０の第３の凸部５３が、導電板７０の表面７２に当るのを防ぐため、レバー４０の第１の凸部４１と板バネ６０の第１の押付面６１を当接させて、結線前位置でレバー４０を組み立てる。同様に、長手方向における中央部を境界として、反対側のレバー４０を組み立てる。
【００３９】
その後、ベース３０と同じ形状の他のベース、又はベース３０に対応する形状を有する側板を、ベース３０と対向させる。その際には、レバー４０の軸部４４を対向するベース又は側板の軸受３1に挿入する。次に、ベース３０の圧入穴９１に、圧入突起９２を圧入する。最後に、図１のように、レバー４０を初期位置の状態にして、端子台１の組み立てが完了する。なお、ベース３０は、接着又はネジ止め等の方法によって、他のベース等に連結してもよい
【００４０】
上記で説明したように、端子台１は、少ない部品で構成されており、しかも構造が簡単であるので、容易に組立を行うことができる。また、組立の際に、部品の位置調整などは必要がない。レバー４０を操作するだけで、導電板７０と端子３とを再現性良く安定して電気的に導通させることができる。
【００４１】
次に、本実施形態に係る端子台１の動作を説明する。図４〜図１７を参照して端子台１の動作を説明する。なお、図４、図７、図１０、図１４における矢印はレバー４０の回転方向を表す。
【００４２】
本実施形態に係る端子台１の動作として、端子３を端子台１に接続する前の結線前状態、端子３を端子台１に接続するための結線状態、及び端子３が端子台１に接続された結線後状態の３段階に分けて説明する。
【００４３】
（結線前状態）
図４は、本実施形態に係る端子台の動作を説明するための図であり、結線前状態を示している。図４（ａ）は、端子台１の上面図である。図４（ｂ）は、側面図を示している。図５は、図４（ａ）のＶ−Ｖ線にそって切った断面を示している。また、図６は、図４（ａ）のＶＩ−ＶＩ線にそって切った断面を示している。
【００４４】
図４〜６に示すように、本実施形態に係る端子台１に、端子３を結線する前の状態では、レバー４０は斜め右下方向に位置している。このとき、レバー４０の第１の凸部４１が、板バネ６０の第２の押付面６２に当接し、板バネ６０の変形部６５が変形した状態となっている。この状態では、ベース３０の端子孔３８から端子３を挿入しても、レバー４０の前面４８により当たり、端子３を挿入できないようになっている。レバー４０の前面４８と導電板７０（又は導電板の表面７２）との空隙が小さくなっているので、このレバー４０の前面４８と導電板７０との空隙から、埃等が入るのを防止することができる。
【００４５】
図６に示すように、レバー４０の軸部４４が、楕円形状を有するベース３０の軸受３1に挿入されており、ベース３０の軸受３1の下側面にレバー４０の軸部４４の下側面が当接することで、レバー４０が支持されている。このとき、レバー４０の軸部４４の下側面が、回転支点（第１の回転支点１０１）として機能しており、レバー４０が、板バネ６０によって、図４に示した矢印方向（図の右下方向）に応力が作用するように構成されている。このとき、レバー４０の第２の凸部４２がベース３０のストッパーリブ３２に押し付けられることで、ガタツキがなく、レバー４０の位置が安定して維持されている。
【００４６】
また、図５に示すように、レバー４０が斜め右下方向に位置した状態では、ベース３０のストッパーリブ３２によって、レバー４０の位置が制限され、これ以上矢印方向に動かないように設計されているので、端子押付具５０の第２の凸部５２が導電板７０の固定面７２と近接した状態となっている。これにより、端子押付金具５０の第２の凸部５２が導電板７０に当たって導電板に傷をつけることを防止することができる。また、端子押付金具５０の第２の凸部５２と導電板７０の固定面７２との間には、空隙がほとんど設けられていないので、例えば端子付きケーブル２（図１０参照）を、間違って挿入することを防止することができる。また、レバー４０が、図４に示す斜め右下方向の位置にあることで、結線前状態の状態であることを知ることができる。
【００４７】
次に、図７〜９を用いて、端子３を端子台に接続するときの、端子台の動作について説明する。図７は、本実施形態に係る端子台の動作を説明するための図であり、結線前状態を表している。図７（ａ）は、端子台の上面図である。図７（ｂ）は、側面図を示している。図８は、図７（ａ）のＶＩＩＩ−ＶＩＩＩ線にそって切った断面を示している。また、図９は、図７（ａ）のＩＸ−ＩＸ線にそって切った断面を示している。
【００４８】
図７及び８に示すように、作業者が、斜め右下方向に位置しているレバー４０を、矢印方向（第１の方向）にレバー４０の側面４３がベース３０の外周リブ３３に当るまで回転させる。レバー４０の回転に応じて、レバー４０の第１の凸部４１が、板バネ６０の第２の押付面６２から第１の押付面６１に移動し、板バネ６０の第２の押付面６２に当たっていたレバー４０の第１の凸部４１が、板バネ６０の第１の押付面６１に当たる。その結果、レバー４０は、板バネ６０から図７及び８に示した矢印方向（図の右上方向）（第１の方向）への応力を受けている。レバー４０の側面４３がベース３０の外周リブ３３に押し付けられて、レバー４０の回転が制限されるため、レバー４０は、図７〜９に示したように、右上の位置で保持される。この状態が、本実施形態における解放状態に相当する。
【００４９】
図９に示すように、レバー４０が回転している状態、或いは、右上の位置にある状態においても、第1の回転支点１０１がレバー４０の回転支点となっている。このとき、図８及び９に示すように、レバー４０と導電板７０の間には、例えば端子３又は端子付きケーブル２が挿入可能な隙間が形成されることができる。
【００５０】
（結線状態）
図１０〜１３を用いて、端子３を端子台１に接続するための結線状態について、以下に説明する。図１０は、本実施形態に係る端子台の動作を説明するため図であり、支点移動位置を表している。図１０（ａ）は、端子台の上面図である。図１０（ｂ）は、側面図を示している。図１１は、図１０（ａ）のＸＩ−ＸＩ線にそって切った断面を示している。図１２は、図１１のＡ部を拡大した拡大図を示す図である。図１３は、図１０（ａ）のＸＩＩＩ−ＸＩＩＩ線にそって切った断面を示している。
【００５１】
まず、作業者は、ベース３０の端子孔３８（図２参照）を介して、端子付きケーブル２をレバー４０と導電板７０との間に挿入する。その後、作業者は、端子付きケーブル２に設けられた端子３の先端で、レバー４０に装着された端子押付金具５０の第４の凸部５４を押す。このとき、レバー４０は、自動的に右下の方向（図１０の矢印方向）（第２の方向）に回転し、端子３が導電板７０と電気的に接続する状態とすることができる。端子３の先端で、端子押付金具５０の第４の凸部５４を押して、レバー４０を右下の方向に回転させたときは、第１の回転支点１０１が回転支点として機能している。
【００５２】
次に、図１１〜１３に示すように、レバー４０の回転に応じて、レバー４０の第１の凸部４１が、板バネ６０の第１の押付面６１から第２の押付面６２に移動し、板バネ６０の第１の押付面６１に当たっていたレバー４０の第１の凸部４１が、板バネ６０の第２の押付面６２に当たる。レバー４０は、板バネ６０によって、図１１〜１３に示した矢印方向（図の右下方向）（第２の方向）に応力が作用するようになる。
【００５３】
次に、レバー４０の回転に応じて、レバー４０の回転支点が第１の回転支点１０１から第２の回転支点１０２に移動することについて、詳細に説明する。図１１及び１２に示すように、レバー４０が右下の方向に回転することにより、端子押付金具５０の第１の凸部５１が端子３の表面に当接する。この端子押付金具５０の第１の凸部５１が端子３の表面に当接した状態から、さらにレバー４０を、右下の方向に回転することにより、レバー４０の回転支点が、第１の回転支点１０１から、端子３の表面に当接した端子押付金具５０の第１の凸部５１（第２の回転支点１０２）に切り替わることができる。
【００５４】
端子３の表面に当接した端子押付金具５０の第１の凸部５１（第２の回転支点１０２）が、レバー４０の回転支点（第２の回転支点１０２）として機能するように、回転支点が切り替わったとき、レバー４０の軸部４４が、ベース３０の軸受３1の下側面から上方向に移動しながら離間する。これにより、レバー４０の軸部４４は、ベース３０の軸受３1内で、浮いた状態となっている（図１７参照）。本実施形態では、ベース３０の軸受３1は、楕円形状を有しており、レバー４０の回転支点が、第１の回転支点１０１から、第２の回転支点１０２に切り替わる際に、ベース３０の軸受３1の楕円形状に沿って上方向に移動することができる。このため、レバー４０を回転した際に、レバーの振れを小さくすることができる。しかし、ベース３０の軸受３1の形状は、楕円形状に限らず、略円形や長円形の形状であってもよい。
【００５５】
（結線後状態）
次に、図１４〜１７を用いて、端子３が端子台１に接続された結線後状態について説明する。図１４は、本実施形態に係る端子台の動作を説明するため図であり、結線状態を表している。図１４（ａ）は、端子台の上面図である。図14（ｂ）は、側面図を示している。図１５は、図１４（ａ）のＸＶ−ＸＶ線にそって切った断面を示している。図１６は、図１５（ｂ）のＢ部を拡大した拡大図を示す図である。また、図１７は、図１４（ａ）のＸＶＩＩ−ＸＶＩＩ線にそって切った断面を示している。
【００５６】
図１５〜１７に示すように、第２の回転支点で回転したレバー４０は、端子押付金具５０の第２の凸部５２が端子３の表面に当たり、端子３を導電板７０に押圧して電気的に接続する。この状態が、本実施形態における接続状態に相当する。また、レバー４０は、端子３と導電板７０とが接続された状態で、この位置（「結線後位置」という）に保持される。一方、レバー４０の回転支点として機能する端子押付金具５０の第１の凸部５１（第２の回転支点１０２）も、端子３の表面に当接している。したがい、端子３と導電板７０とが電気的に接続された結線時では、端子押付金具５０の第１の凸部５１（第２の回転支点１０２）と、端子押付金具５０の第２の凸部５２の２ヶ所で端子３を押さえ、端子３の裏面を導電板７０の表面に押し付けることができる。つまり、端子３を挿入する方向の２か所で、レバー４０に装着された端子押付金具５０の第１の凸部５１と端子押付金具５０の第２の凸部５２とで導電板７０に端子３を押さえて固定するように構成されているので、端子の前後方向でのガタツキが低減され、端子３を確実に、安定して導電板７０に接続固定することができる。
【００５７】
上記で説明したように、本実施形態に係る端子台１では、レバー４０の回転支点を、レバー４０の回転状態に合わせて、第１の回転支点から第２の回転支点に変更するように構成されている。これにより、端子押付金具５０の第１の凸部５１と端子押付金具５０の第２の凸部５２とで、端子３をその挿入方向の２か所で押さえることができるので、端子の前後方向でのガタツキが低減され、端子３を確実に、安定して導電板７０に接続固定することができる。
【００５８】
また、本実施形態に係る端子台１において、例えば、端子３として孔部を有する端子を用いることができる。この場合、結線後状態の際に、端子押付金具５０の第３の凸部５３は、端子３の孔部に挿入され、端子３が抜け出ることが防止できる。また、レバー４０は、結線前状態、結線状態、及び結線後状態の各状態に切り替えるために上下方向に回転させた際に、レバー４０の第１の凸部４１が常に板バネ６０に接触するように構成されており、どの状態においてもレバー４０にはガタツキがない。また、端子台１を、例えば振動する場所で使用しても、レバー４０のガタツキに起因する異音を防止することができる。
【００５９】
板バネ６０は、互いに交差する方向に延伸する第１の押付面６１と第２の押付面６２を有している。レバー４０が右下の位置にある状態では、レバー４０の第１の凸部４１が第２の押付面６２に当接し、レバー４０に右下方向への回転力（弾性力）が生じる。一方、レバー４０が右上の位置にある状態では、レバー４０の第１の凸部４１が第１の押付面６１に当接し、レバー４０に右上方向への回転力（弾性力）が生じる。このように、レバー４０の位置により、右下方向と右上方向の２方向に、容易に回転力（弾性力）の方向を切り替えることができる。
【００６０】
また、本実施形態に係る端子台１によれば、ケーブルの先端部に端子（例えば、穴付き圧着端子）を装着し、端子孔３８に端子を挿入するだけで、自動結線ができる。さらに、端子台１は、単純な形状の部品から構成されており、また、構造も簡単であるため、専用工具なしで容易に組み立てを行うことができる。また、組み立てに要する時間を短くすることができる。結果として、従来と比較して低コストで信頼性の高い端子台を提供することができる。
【００６１】
また、本実施形態に係る端子台１の端子への接触圧力は板バネ６０の付勢力によって定めることができる。板バネ６０の付勢力は、板バネの板厚や、板バネのサイズにより調整することができる。そのため、用途に応じて、小電流（例えば、１５０Ａ以下の電流量）が流れる電線（端子）から、大電流が流れる電線（端子）を接続する場合まで、容易に形状変更して対応できる。
【符号の説明】
【００６２】
１：端子台
２：丸形端子付きケーブル
３：端子
３０：ベース
３１：軸受
３２：ストッパーリブ
３３：外周リブ
３４：固定ボス
３５：凹部
３６：ベースの第１のリブ
３７：ベースの第２のリブ
３８：端子孔
４０：レバー
４１：レバーの第１の凸部
４２：レバーの第２の凸部
４３：側面
４４：軸部
４５：レバーの第３の凸部
４６：リブ
４７：圧入溝
４８：前面
５０：端子押付金具
５１：端子押付金具の第１の凸部
５２：端子押付金具の第２の凸部
５３：端子押付金具の第３の凸部
５４：端子押付金具の第４の凸部
５５：突起部
５６：基準面
６０：板バネ
６１：第１の押付面
６２：第２の押付面
６３：曲部
６４：固定面
６５：変形部
７０：導電板
７１：スリット穴
７２：表面
９０：表示用凹部
９１：圧入穴
９２：圧入突起
１０１：第１の回転支点
１０２：第２の回転支点
【要約】
【課題】構造が簡単で組み立てに時間を要せず確実に端子を接続できる端子台を提供することを目的とする。
【解決手段】本発明に係る端子台（１）は、第１の押付面（６１）と第２の押付面（６２）とを有する板バネ（６０）と、端子押付金具（５０）が設けられると共に板バネに当接する凸部（４１）を有するレバー（４０）と、端子と電気的に接続される導電板（７０）と、これらを収納するベース（３０）とを備える。レバーは、ベースに設けられた軸受（３１）に挿入する軸部（４４）を有し、回転可能にベース部に装着されている。レバーが第１の方向に回転したとき、端子と導電板とが解放状態となる。レバーが第２の方向に回転したとき、端子と導電板とが接続状態となる。板バネは、凸部が板バネの第１の押付面に当接したときにレバーを第１の方向に付勢しており、凸部が第２の押付面に当接したときにレバーを第２の方向に付勢するように構成されている。
【選択図】図１【図１】
0006764164.tif 000002
【図２】
0006764164.tif 000003
【図３】
0006764164.tif 000004
【図４】
0006764164.tif 000005
【図５】
0006764164.tif 000006
【図６】
0006764164.tif 000007
【図７】
0006764164.tif 000008
【図８】
0006764164.tif 000009
【図９】
0006764164.tif 000010
【図１０】
0006764164.tif 000011
【図１１】
0006764164.tif 000012
【図１２】
0006764164.tif 000013
【図１３】
0006764164.tif 000014
【図１４】
0006764164.tif 000015
【図１５】
0006764164.tif 000016
【図１６】
0006764164.tif 000017
【図１７】
0006764164.tif 000018